(57)【特許請求の範囲】
【請求項１】
デジタル放送システムの送信装置において、
１つまたはそれ以上のコンテンツの処理を制御するためのＣＵＩ（Ｃｏｎｔｒｏｌ  Ｕｓｅｒ  Ｉｎｔｅｒｆａｃｅ）情報を含むＥＰＧ情報を生成するＥＰＧ生成部と、
前記１つまたはそれ以上のコンテンツ及び前記ＥＰＧ情報を伝送する送信部と、を備え、
前記ＣＵＩ情報は、前記コンテンツのカテゴリー別に提供され、前記カテゴリー別に前記ＣＵＩ情報に対応するユーザインターフェースが表示されるように制御されることを特徴とする送信装置。
【請求項２】
前記ＣＵＩ情報は、１つまたはそれ以上の前記コンテンツを制御するための複数のキーコードで構成されることを特徴とする請求項１に記載の送信装置。
【請求項３】
前記ＥＰＧは、１つまたはそれ以上の前記コンテンツを示すプログラムアイテムと、対応するＣＵＩ情報がリンクされる構成を有することを特徴とする請求項２に記載の送信装置。
【請求項４】
デジタル放送システムの受信装置において、
ＣＵＩ（Ｃｏｎｔｒｏｌ  Ｕｓｅｒ  Ｉｎｔｅｒｆａｃｅ）情報を含むＥＰＧ情報及び１つまたはそれ以上のコンテンツを受信する受信部と、
ＥＰＧ及び前記１つまたはそれ以上の前記コンテンツをレンダリングし、前記ＥＰＧ情報から抽出された前記ＣＵＩ情報に基づいて選択された前記コンテンツのＣＵＩを構築するレンダリング部と、
選択された前記コンテンツのカテゴリーに対応する前記ＣＵＩを表示し、前記コンテンツで使用されるアイテムに関する情報を表示し、および前記ＣＵＩを通じて入力される命令に応答して選択された前記コンテンツの再生、を制御する制御処理部と、を備えることを特徴とする受信装置。
【請求項５】
前記レンダリング部が、前記ＥＰＧ情報からＣＵＩ情報を分離し、前記選択された前記コンテンツに対応する前記ＣＵＩを前記制御処理部に伝送し、
前記ＣＵＩは、前記選択された前記コンテンツを制御するための複数のキーコードを具備することを特徴とする請求項４に記載の受信装置。
【請求項６】
前記レンダリング部が、前記制御処理部によって前記選択された前記コンテンツに対応するＣＵＩ情報を抽出し、前記ＣＵＩ情報に基づいてＣＵＩページを構築し、前記制御処理部に前記ＣＵＩページを伝送することを特徴とする請求項５に記載の受信装置。
【請求項７】
前記レンダリング部が、前記制御処理部によって前記選択された前記コンテンツに対応するＣＵＩ情報を抽出し、
前記制御処理部が、前記ＣＵＩ情報に基づいてＣＵＩページを構築し、スクリーンにＣＵＩページを表示することを特徴とする請求項５に記載の受信装置。
【請求項８】
デジタル放送システムのコンテンツ伝送方法において、
送信機において１つまたはそれ以上のコンテンツの処理を制御するためのＣＵＩ（Ｃｏｎｔｒｏｌ  Ｕｓｅｒ  Ｉｎｔｅｒｆａｃｅ）情報を生成する過程と、
前記１つまたはそれ以上のコンテンツで示すアイテムと前記ＣＵＩ情報を含むＥＰＧ情報を生成する過程と、
前記ＥＰＧ情報と１つまたはそれ以上のコンテンツを伝送する過程と、を備え、
前記ＣＵＩ情報は、コンテンツのカテゴリー別に提供され、前記カテゴリー別に前記ＣＵＩ情報に対応するユーザインターフェースが表示されるように制御されることを特徴とする方法。
【請求項９】
前記ＣＵＩ情報は、１つまたはそれ以上のコンテンツを制御するための複数のキーコードを具備することを特徴とする請求項８に記載の方法。
【請求項１０】
前記ＥＰＧ情報は、１つまたはそれ以上のコンテンツを示すプログラムアイテム及び対応するＣＵＩ情報がリンクされる構成を有することを特徴とする請求項９に記載の方法。
【請求項１１】
受信機において、１つまたはそれ以上のコンテンツと、前記ＣＵＩ情報を含む前記ＥＰＧ情報を受信する過程と、
前記ＥＰＧと１つまたはそれ以上のコンテンツをレンダリングする過程と、
前記ＣＵＩ情報に基づいて選択されたコンテンツに対応するＣＵＩを構成する過程と、
前記ＣＵＩを画面に表示する過程と、
前記ＣＵＩを通じて入力される命令を実行する過程と、をさらに備えることを特徴とする請求項１０に記載の方法。
【請求項１２】
前記ＣＵＩを表示する過程が、
前記ＥＰＧ情報から前記ＣＵＩ情報を分離する過程と、
前記ＣＵＩ情報に基づいて前記選択されたコンテンツに対応する前記ＣＵＩをスクリーンに提示する過程と、で構成され、
前記ＣＵＩは、前記選択されたコンテンツを制御するための複数のキーコードを備えていることを特徴とする請求項１１に記載の方法。
【請求項１３】
前記ＣＵＩを表示する過程が、
前記選択されたコンテンツに対応する前記ＣＵＩ情報を抽出する過程と、
前記選択されたコンテンツに対応する前記ＣＵＩをＣＵＩページ形態でスクリーンに提示する過程と、で構成されることを特徴とする請求項１１に記載の方法。
【発明の詳細な説明】
【技術分野】
【０００１】
本発明は、デジタル放送システムに関し、特にＥＰＧ（Ｅｌｅｃｔｒｏｎｉｃ  Ｐｒｏｇｒａｍ  Ｇｕｉｄｅ）を利用してＣＵＩ（Ｃｏｎｔｒｏｌ  Ｕｓｅｒ  Ｉｎｔｅｒｆａｃｅ）を伝送する装置及び方法に関する。
【背景技術】
【０００２】
ＩＰ（ｉｎｔｅｒｎｅｔ  ｐｒｏｔｏｃｏｌ）に対応する技術が収束するとともに、有線及び無線通信が統合されたため、通信と放送の融合という、新たなビジネスモデルが有望な市場として登場してきている。通信と放送の統合の一例は、従来のテレビ、音声、データ技術の統合を提供するＩＰＴＶ（ｉｎｔｅｒｎｅｔ  ｐｒｏｔｏｃｏｌ  ｔｅｌｅｖｉｓｉｏｎ）である。ＩＰＴＶは、ユーザ双方向性をサポートし、それにより多様なビジネスモデルとサービス創出が可能な技術である。特に、このようなＩＰＴＶ技術は、セットトップボックス、パソコン、テレビのような固定型端末と、携帯電話、ＰＤＡ（Ｐｅｒｓｏｎａｌ  Ｄｉｇｉｔａｌ  Ａｓｓｉｓｔａｎｔ）、ラップトップコンピュータなどの移動型端末などの双方に、有線及び無線ネットワークまたは放送網などを使用して、環境に関係なく柔軟な通信および放送サービスを提供する。前記ＩＰＴＶ技術は、多様な環境で提供及び適用可能と共に、多様な形態のサービス具現が可能である。
【０００３】
図１は、従来の統合されたリモートＣＵＩシステムを通じて形態の異なる様々なコンテンツ（ｃｏｎｔｅｎｔｓ）をコントロールする形態を示す図である。図２は、図１の統合されたリモートＣＵＩシステムにおいてＣｏＤコンテンツ（Ｃｏｎｔｅｎｔ  ｏｎ  Ｄｅｍａｎｄ  ｃｏｎｔｅｎｔｓ）の再生をコントロールするボタンを示す図である。図３は、図１の統合されたリモートＣＵＩシステムにおいて文字数字キャラクタを入力するためのボタンを示す図である。
【０００４】
図１〜図３を参照すれば、リアルタイム放送コンテンツ１０１は、Ｐｌａｙボタン２０１、Ｐａｕｓｅボタン２０２、Ｓｔｏｐボタン２０３、Ｆａｓｔ  Ｒｅｖｅｒｓｅボタン２００、Ｆａｓｔ  Ｆｏｒｗａｒｄボタン２０４をサポートしない。これは、リアルタイム放送１０１は、ストリームの形状で転送されるためである。また、ＣｏＤコンテンツ１０２のような場合は、図２で提供するすべての再生制御ボタンがサポートされる。前記ＣｏＤコンテンツ１０２は、リアルタイム放送コンテンツ１０１とは異なって、あらかじめ格納されているコンテンツであって、Ｐｌａｙボタン２０１、Ｆａｓｔ  Ｒｅｖｅｒｓｅボタン２００やＦａｓｔ  Ｆｏｒｗａｒｄボタン２０４、Ｐａｕｓｅボタン２０２により制御される。しかし、ＣｏＤコンテンツ１０２は、図３に示されている文字数字キャラクタボタン３００、３０１をサポートする必要はない。
【発明の概要】
【発明が解決しようとする課題】
【０００５】
一般的に、総合された通信及び放送システムにおいてリアルタイム放送コンテンツは、通信装置によって再生されることができ、通信システムを通じてダウンロードされるコンテンツは、放送受信機によって再生されることができる。放送及びファイルコンテンツの両方をユーザに提供するために、移動通信端末機は、再生されるコンテンツの形態に適応するＣＵＩを一緒にユーザに提供するように構成される。したがって、サービス／コンテンツプロバイダーは、リアルタイム放送コンテンツ、ＣｏＤコンテンツ、チャットコンテンツ及びその他コンテンツなどのコンテンツとともに、コンテンツの形態に適応するＣＵＩ情報をユーザに提供する必要がある。
【課題を解決するための手段】
【０００６】
本発明は、前述したような問題及び短所を解消し、以下に説明される利点を提供する。本発明は、各々のコンテンツ別に特化したＣＵＩを提供するために、ＥＰＧ情報を提供するサービス／コンテンツプロバイダーとＥＰＧを受けるデバイスにコンテンツ別に特化したＣＵＩ情報を処理する方法及び装置を提供する。
【０００７】
本発明の実施例によれば、デジタル放送システムの送信装置が提供される。前記装置は、１つまたはそれ以上のサービス及びコンテンツを提供するプロバイダーと、制御ＵＩ情報を含むＥＰＧ情報を生成するＥＰＧ生成部と、１つまたはそれ以上のサービス及びコンテンツとＥＰＧ情報を伝送する送信部とを備える。前記制御ＵＩ情報は、対応するサービス別及びコンテンツ別に提供される。
【０００８】
また、本発明の他の実施例によれば、デジタル放送システムの受信装置が提供される。前記装置は、制御ＵＩ情報を含むＥＰＧ及び１つまたはそれ以上のサービス及びコンテンツを受信する受信部を含む。また、前記装置は、ＥＰＧ及び１つまたはそれ以上のサービス及びコンテンツをレンダリングし、選択された制御ＵＩによる制御ＵＩ情報を抽出し、制御画面を構成するレンダリング部を含む。また、前記装置は、選択されたサービスまたはコンテンツの制御ＵＩ情報を画面に表示し、選択された制御ＵＩによってサービスまたはコンテンツを処理する制御処理部をさらに備える。
【０００９】
本発明のさらに他の実施例によれば、デジタル放送システムが提供される。前記システムの送信装置は、１つまたはそれ以上のサービス及びコンテンツを提供するプロバイダーと、制御ＵＩ情報を含むＥＰＧ情報を生成するＥＰＧ生成部と、１つまたはそれ以上のサービス及びコンテンツ及び前記制御ＵＩを含むＥＰＧ情報を伝送する送信部とを備える。そして、前記システムの受信装置は、制御ＵＩ情報を含むＥＰＧ及び１つまたはそれ以上のサービス及びコンテンツを受信する受信部と、前記ＥＰＧ及び１つまたはそれ以上のサービス及びコンテンツをレンダリングし、ＥＰＧから制御ＵＩ情報に基づいて選択されたサービスまたはコンテンツの制御画面を構成するレンダリング部と、選択されたサービスまたはコンテンツに対応する制御ＵＩ情報を画面に表示し、選択された制御ＵＩによってサービスまたはコンテンツを処理する制御処理部とを備える。前記制御ＵＩ情報は、サービス別及びコンテンツ別に提供される。
【００１０】
また、本発明のさらに他の実施例によれば、デジタル放送システムのサービス／コンテンツ伝送方法が提供される。１つまたはそれ以上のサービス及びコンテンツの処理を制御するための制御ＵＩ情報が送信機で生成される。１つまたはそれ以上のサービス及びコンテンツを示すアイテムを含むＥＰＧ情報と制御ＵＩ情報が発生し、ＥＰＧ情報と１つまたはそれ以上のサービス及びコンテンツが伝送される。前記制御ＵＩ情報は、サービス別及びコンテンツ別に提供される。
【発明の効果】
【００１１】
前述したように、本発明のＣＵＩ伝送方法は、サービス／コンテンツプロバイダーにより伝送されるコンテンツ特化ＣＵＩ情報に基づいて、各々のコンテンツに適した特化したＣＵＩ情報を構成してユーザデバイスに伝送し、対応するコンテンツとともにコンテンツ特化ＣＵＩを表示することができる。ユーザは、コンテンツに特化したＣＵＩ情報を通じてコンテンツの再生を制御することができる。本発明のＣＵＩ伝送方法は、個別コンテンツまたはコンテンツタイプに最適化されたＣＵＩをユーザに提供することができ、多様な形態のコンテンツを再生することができる。
【００１２】
本発明の実施例、特徴及び利点が添付の図面及び下記の詳細な説明からさらに明確になる。
【図面の簡単な説明】
【００１３】
【図１】様々な異なるコンテンツをコントロールするための従来の統合されたリモートＣＵＩシステムを示す図である。
【図２】図１の統合されたリモートＣＵＩシステムにおいてＣｏＤコンテンツを再生制御するためのボタンを示す図である。
【図３】図１の統合されたリモートＣＵＩシステムにおいて文字数字キャラクタを入力するためのボタンを示す図である。
【図４】本発明の実施例によってコンテンツ特化ＣＵＩを伝送するデジタル放送システムを説明するための図である。
【図５】本発明のさらに他の実施例によってコンテンツ特化ＣＵＩを伝送するデジタル放送システムを説明するための図である。
【図６】本発明の実施例によって、デジタル放送システムにおいて使用するＥＰＧとともに伝送されるＣＵＩを示す図である
【図７】本発明の実施例によって図６のＣＵＩとＥＰＧを伝送するメタデータ形式構造を示す図である。
【図８】本発明の実施例によってコンテンツ特化ＣＵＩ情報を提供するためのメタデータ構造を示す図である。
【図９】本発明の実施例によってＣＵＩ伝送方法をサポートするデジタル放送システムを構成する制御処理部、ＯＩＴＦ装置及びＩＰＴＶサービスプロバイダー間の動作を示す流れ図である。
【図１０】本発明のさらに他の実施例によってＣＵＩ伝送を支援するデジタル放送システムを構成する制御処理部、ＯＩＴＦ及びＩＰＴＶサービスプロバイダー間の動作を示す流れ図である。
【図１１】本発明の実施例によってユーザがコンテンツを消費している途中にＥ−ＢＣＧメタデータがアップデートされた場合、デジタル放送システムを構成する制御処理部、ＯＩＴＦ及びＩＰＴＶサービスプロバイダー間の動作を示す流れ図である。
【図１２】本発明の実施例によるキーコードグループの構造を示す図である。
【発明を実施するための形態】
【００１４】
本発明の実施例が添付の図面と共に詳細に説明される。公知された構成及び処理方法の詳細な説明は、本発明の主題を不明にすることを避けるために省略される。
【００１５】
本発明の実施例において、サービス／コンテンツプロバイダーが、ＥＰＧ（ｅｌｅｃｔｒｏｎｉｃ  ｐｒｏｇｒａｍ  ｇｕｉｄｅ）内の、コンテンツ別に特化したＣＵＩ情報を提供し、前記ユーザにコンテンツ型のＣＵＩとともに提供するために前記ＣＵＩ情報を処理する、通信と放送の融合されたシステムが説明される。前記用語「ＥＰＧ」は、ＩＰＴＶ放送技術に従って異なる用語で置き換えてもよい。例えば、前記用語「ＥＰＧ」は、ＤＶＢ（Ｄｉｇｉｔａｌ  Ｖｉｄｅｏ  Ｂｒｏａｄｃａｓｔｉｎｇ）システムで使用されるＥＳＧ（ｅｌｅｃｔｒｏｎｉｃ  ｓｅｒｖｉｃｅ  ｇｕｉｄｅ）としてもよい。以下の説明では、前記用語「ＥＰＧ」は、ＩＰＴＶシステムにおいて使用されるプログラム情報及びシステム情報とともに前記ユーザに提供されるようなすべてのデジタルガイドの型を代表する用語として使用される。
【００１６】
本発明の実施例は、ＥＰＧにおけるコンテンツに特化したＣＵＩ情報を定義し、コンテンツ（番組）と対応するＣＵＩ情報との関係を定め、ＥＰＧを受信するとともに、前記ユーザ装置において、前記ＥＰＧにより搬送されるＣＵＩ情報を処理し、前記ＥＰＧから抽出されたＣＵＩ情報に基づきＣＵＩを作成し、前記作成されたＣＵＩをコントローラに伝送する方法及び過程を説明する。
【００１７】
図４は、本発明の実施例に従う、コンテンツ別に特化したＣＵＩ（ｃｏｎｔｅｎｔ−ｓｐｅｃｉｆｉｃ  ＣＵＩ）を配信するデジタル放送システムを説明するための図である。
【００１８】
図４を参照すれば、サービス／コンテンツプロバイダー４０２は、サービス及びコンテンツを提供する。前記サービス及びコンテンツは、図１に示されたように、リアルタイム放送コンテンツ１０１、ＣｏＤコンテンツ１０２、チャットコンテンツ１０３及びその他コンテンツ１０４などを含みうる。ＥＰＧ生成部４１１は、前記サービス及びコンテンツに対応するＣＵＩ情報を含むＥＰＧ情報を生成する。前記ＥＰＧ（ｅｌｅｃｔｒｏｎｉｃ  ｐｒｏｇｒａｍ  ｇｕｉｄｅ）は、デジタル放送システムのシステム情報や、デジタル放送システムにおいて放送されるプログラムに関するプログラム情報などの情報を視聴者に提供するための形式である。そして、前記ＥＰＧ情報は、本発明の実施形態に従って定められるＣＵＩ（ｃｏｎｔｒｏｌ  ＵＩ）情報を含んでいる。前記ＣＵＩ情報は、前記ユーザ装置が、コンテンツの再生制御をするユーザのためのＣＵＩを作成することを可能にする。例えば、ＣｏＤに特化したＣＵＩは、図３のような文字及び数字ボタンではなく、図２のような再生制御ボタンで構成される。放送に特化したＣＵＩは、図２のような再生制御ボタンではなく、図３のような文字及びボタンで構成される。そして、前記サービス／コンテンツ情報及びＣＵＩを含むＥＰＧは、ユーザ装置に伝送される。
【００１９】
前記サービス／コンテンツプロバイダー４０２及びＥＰＧ生成部４１１は、送信部の機能ブロックであり、すなわちデジタル放送システムのデジタル放送送信機（station）である。
【００２０】
レンダリング部４０１は、前記サービス／コンテンツ情報及びＣＵＩが含まれているＥＰＧを受信し、前記ＥＰＧを処理しコンテンツをレンダリング（ｒｅｎｄｅｒｉｎｇ）する。すなわち、前記レンダリング部４０１は、前記ＥＰＧからＣＵＩを抽出し、該抽出されたＣＵＩを制御処理部４００に伝達する。ＣＵＩ格納部４１０は、前記レンダリング部４０１により前記ＥＰＧから抽出されたＣＵＩ情報（またはＣＵＩ  ページ）を格納する。制御処理部４００は、前記ＣＵＩ格納部４１０に格納されているＣＵＩ情報をチェックし、画面上において該ＣＵＩをユーザに表示する。前記ユーザは、前記ＣＵＩの前記レンダリング部４０１でレンダリングされたサービス／コンテンツの再生を前記ＣＵＩによって制御することができる。ユーザは、ディスプレイ（図示せず）上に前記サービス／コンテンツを、制御処理部４００によって構成されている前記ＣＵＩを使用して、再生制御することができる。
【００２１】
前記レンダリング部４０１、ＣＵＩ格納部４１０、制御処理部４００及び表示部（図示せず）は、前記ユーザ装置の機能ブロックであり、すなわち、放送サービスを受信し再生可能な、デジタル放送受信機（ｄｉｇｔｉａｌ  ｔｅｌｅｖｉｓｉｏｎ  ｒｅｃｅｉｖｅｒ）またはモバイル機器（例えば、携帯電話機など）などである。
【００２２】
前述のような構造を有する放送システムにおいて、サービス／コンテンツプロバイダー４０２は、サービス／コンテンツを生成及び提供する。ここで、前記サービス／コンテンツは、リアルタイム放送などの多様な種類のデータを含みうる。そして、ＥＰＧ生成部４１１は、前記サービス／コンテンツプロバイダー４０２により提供されるサービス／コンテンツの種類に対応するＣＵＩを生成し、前記生成されたＣＵＩをＥＰＧ情報に挿入する。そして、前記サービス／コンテンツ情報及びＥＰＧ情報は、ユーザ装置に配信される。すなわち、前記サービス／コンテンツ送信器は、それぞれのサービス／コンテンツに対応するＣＵＩを含んでいるＥＰＧを生成し、該ＥＰＧをユーザ装置に伝送する。
【００２３】
前記ＥＰＧが受信されれば、前記受信機のレンダリング部４０１は、ＥＰＧ情報からＣＵＩ情報を分離する。前記レンダリング部４０１は、現在再生されているサービス／コンテンツのＣＵＩを制御処理部４００に伝達する。前記制御処理部４００は、前記サービス／コンテンツおよび記レンダリング部４０１でレンダリングされるサービス／コンテンツに対応するＥＰＧを処理する。前記制御処理部４００は、前記ＥＰＧ情報から分離されたＣＵＩ情報をＣＵＩ格納部４１０に格納し、現在選択されているサービス／コンテンツに対応するＣＵＩを処理する。具体的には、前記制御処理部４００は、前記レンダリング部４０１により提供される前記ＣＵＩによるユーザコマンド入力に従って前記コンテンツの再生を制御する。前記ＣＵＩは、制御画面（Ｃｏｎｔｒｏｌ画面）の形式で表示部に表示される。したがって、ユーザは、コンテンツに特化したＣＵＩにより、進行中のサービス／コンテンツの再生をコントロールすることができる。
【００２４】
レンダリングするレンダリング部４０１が、ＣＵＩページおよびコンテンツをレンダリングするための機能を有している場合には、前記レンダリング部４０１は、ＣＵＩ情報をＣＵＩページの形式で、制御処理部４００に伝送することもできる。
【００２５】
図５は、本願発明の他の実施形態に従う、コンテンツに特化したＣＵＩを配信するためのデジタル放送システムを示す図である。図５の実施形態において、制御処理部４００は、レンダリング部４０１に統合されている。
【００２６】
図５を参照すれば、前記レンダリング部４０１は、送信器からの受信されたサービス／コンテンツとＥＰＧをレンダリングし、前記ＥＰＧから前記ＣＵＩを区分する。前記レンダリング部は、継続中のサービス／コンテンツに対応する前記ＣＵＩ情報を処理し、コンテンツに特化したＣＵＩを制御画面の形状で表示部上に表示する。図５の機能ブロックは、図４におけるものと同様に機能する。
【００２７】
図４または図５のような構成を有するデジタル放送システムの受信機は、専用リモコン装置なしで、制御画面の形式でＣＵＩを表示するための表示装置、又は表示部を備えたモバイル装置でありうる。一般的に、デジタルテレビのような固定装置は、比較的大きい表示部とともに提供され、サービス／コンテンツの再生制御を、ユーザが専用大きな制御メニュー画面にリモコンを使用して行う。しかし、表示部を備えた携帯端末機は、制御ＵＩ画面の表示サイズに制限がある。本発明の実施例によれば、携帯端末機がＥＰＧからＣＵＩを分離し、制御画面を制御画面によってサービス／コンテンツを効率的に制御することができるように構成する。前記表示部がタッチスクリーン（ｔｏｕｃｈ  ｓｃｒｅｅｎ）をサポートする場合には、前記ＣＵＩは、ユーザは、コンテンツの再生制御をさらに効率的に行うことができる。
【００２８】
図４または図５のような構成を有するデジタル放送システムの送信機は、サービス／コンテンツと、コンテンツに特化したＣＵＩ情報を含むＥＰＧを提供する。前記ＣＵＩ情報は、対応するサービス／コンテンツの型専用のＣＵＩをユーザ装置に提示するために提供される。前記サービス／コンテンツ及びＥＰＧは、同時に伝送しても、また、各々独立的に伝送してもよい。前記ＣＵＩは、サービス／コンテンツに特有である。例えば、リアルタイム放送のサービス／コンテンツのためのＣＵＩは、数字及び文字を入力するための入力部で構成され、ＣｏＤコンテンツのためのＣＵＩは、図２に示されているような再生を制御するための多数のボタンを備えたインターフェースで構成される。
【００２９】
前記受信機は、前記受信されたサービス／コンテンツ及びＥＰＧをレンダリングする。前記レンダリング部４０１は、前記ＥＰＧからＣＵＩを分離し、前記ＣＵＩをＣＵＩ格納部４１０に保存し、その後、ユーザによって特定サービス／コンテンツが選択されれば、前記受信機は、選択されたサービス／コンテンツに対応するＣＵＩを格納部４１０から読み出し、表示部（図示せず）に表示する。前記表示部に表示されるＣＵＩは、対応するサービス／コンテンツの再生に関連するコマンドを入力するためのグラフィックの入力ボタンを備えているグラフィックユーザインターフェース（ＵＩ）であってもよい。ユーザは、表示部上に表示されているＣＵＩを使用してサービス／コンテンツの再生を操作するコマンドを入力可能である。
【００３０】
図６は、本発明の実施例によってデジタル放送システムにおいて使用されるためのＥＰＧ内で配信されるＣＵＩを示す図である。
【００３１】
図６を参照すれば、前記ＥＰＧは、チャネル、チャネルのプログラム及びプログラムの放送時間などの基本情報だけでなく、デフォルトＣＵＩ５００に対するメタデータを含む。前記デフォルトＣＵＩは、ＥＰＧ内に配置されているすべての形式のプログラムをコントロールすることができる基本ＵＩである。
【００３２】
図７は、本発明の実施形態に従う、図６に示したＥＰＧとＣＵＩを伝送するためのメタデータ形式構造を示す図である。図７は、に示したメタデータは、ＴＶ  ＡｎｙＴｉｍｅ仕様に基づくメタデータ構造を示す図である。
【００３３】
図７を参照すれば、ＴＶＡＭａｉｎＴｙｐｅ要素６００の下方にＤｅｆａｕｌｔＣＵＩ要素６０１が配置されている。前記ＤｅｆａｕｌｔＣＵＩ要素６０１の位置は変更してもよい。ＤｅｆａｕｌｔＣＵＩ要素６０１には、コントロールキーの集合であるＫｅｙＣｏｄｅＬｉｓｔ要素６０２と、サービス／コンテンツプロバイダーが提供する付加的な情報のためのＡｄｄｉｔｉｏｎａｌＩｎｆｏ要素６０４を備えている。サービス／コンテンツプロバイダー４０２は、ＡｄｄｉｔｉｏｎａｌＩｎｆｏ要素６０４により、広告ＵＲＬや定義されていないコントロールアクション値を、ＥＰＧを処理し、コンテンツをレンダリングするレンダリング部４０１に提供可能である。ユーザは、サービス／コンテンツプロバイダー４０２により提供されるＡｄｄｉｔｉｏｎａｌＩｎｆｏ要素６０４を使用して拡張されたコントロールアクションを行うことができる。ＫｅｙＣｏｄｅＬｉｓｔ要素６０２は、各々の制御のためのＫｅｙＣｏｄｅ要素６０３を備えている。
【００３４】
図７で、前記ＫｅｙＣｏｄｅ要素６０３は、下記表１のように、あらかじめ定義されたＫｅｙＣｏｄｅ値を有することができる。下記表１のように、個別のＫｅｙ  Ｃｏｄｅ値を有することができ、また、複数のＫｅｙ  Ｃｏｄｅの束に対して単一の値を有することもできる。図１２は、５個の個別キーの集合体である１つのｎａｖｉｇａｔｉｏｎｋｅｙｓグループキーを示している。
【００３５】
【表１】
0005851844.tif 000002
【００３７】
図８は、本発明の実施形態に従う、各々の個別コンテンツに特化したＣＵＩを提供するためのメタデータの構造を示す図である。
【００３８】
図８に示されているように、ＳｐｅｃｉａｌｉｚｅｄＣＵＩ要素７０１は、前記メタデータのＰｒｏｇｒａｍＬｏｃａｔｉｏｎＴｙｐｅ要素７００の下方に配置されている。前記ＰｒｏｇｒａｍＬｏｃａｔｉｏｎＴｙｐｅ要素７００は、各々のプログラム、すなわちコンテンツに対する基本的な情報を収容している。前記ＳｐｅｃｉａｌｉｚｅｄＣＵＩ要素７０１の位置は変更してもよい。前記ＳｐｅｃｉａｌｉｚｅｄＣＵＩ要素７０１は、各々のコンテンツに対応する、コンテンツに特化したＣＵＩを備えている。前記コンテンツに特化したＣＵＩ情報は、ＫｅｙＣｏｄｅＬｉｓｔ要素７０２とＡｄｄｉｔｉｏｎａｌＩｎｆｏ要素７０４を通じて表現されることができる。前記ＫｅｙＣｏｄｅＬｉｓｔ要素７０２は、対応するコンテンツをコントロール可能なコントロールアクションキーのグループ、すなわちＫｅｙＣｏｄｅ要素７０３のセットである。前記ＫｅｙＣｏｄｅ要素７０３は、前記表１のように、個々の値に設定しても、グループ値の集合であってもよい。
【００３９】
また、図７で説明したように、ＡｄｄｉｔｉｏｎａｌＩｎｆｏ要素７０４は、サービス／コンテンツプロバイダー４０２が定義されたコントロールアクション以外の付加的な情報要素を含んでおり、ＡｄｄｉｔｉｏｎａｌＩｎｆｏ要素６０４との差異点は、現在のコンテンツに関する付加的な情報を提供可能であるという点である。例えば、現在「フレンズ」というドラマを見ていれば、前記ＡｄｄｉｔｉｏｎａｌＩｎｆｏ要素７０４は、俳優や女優が着ている衣装や彼らが使用したハンドヘルド装置などの追加情報を、それらのアイテムを販売しているショッピングモールへのリンクと共に提供可能である。
【００４０】
図９は、本発明の実施形態に従う、ＣＵＩ伝送方法をサポートするデジタル放送システムを構成するコントローラ、ＯＩＴＦ装置、及びＩＰＴＶサービスプロバイダーの動作を説明するためのシーケンス図である。
【００４１】
図９を参照すれば、制御処理部（Ｃｏｎｔｒｏｌ  Ｆｕｎｃｔｉｏｎ）８００は、ユーザがＴＶやセットトップボックスをコントロールすることができる論理要素（logical entity）である。ＯＩＴＦ／ＡＧ８０１は、制御処理部８００によってコントロールされるＴＶあるいはセットトップボックスに含まれる論理要素である。前記ＯＩＴＦ／ＡＧ８０１は、実際にＥＰＧデータとＣＵＩ情報をパージング（ｐａｒｓｉｎｇ）し、コンテンツをレンダリング（ｒｅｎｄｅｒｉｎｇ）する。ＩＰＴＶサービスプロバイダー８０２は、コンテンツ、ＥＰＧデータ、およびＥＰＧデータに含まれるＣＵＩ情報を生成する。前記制御処理部８００は、図４及び図５の制御処理部４００及び格納部４１０に対応し、ＯＩＴＦ／ＡＧ８０１は、図４及び図５のレンダリング部４０１に対応し、ＩＰＴＶサービスプロバイダー８０２は、図４及び図５のサービス／コンテンツプロバイダー４０２及びＥＰＧ生成部４１１に対応している。
【００４２】
本明細書においては、ＩＰＴＶサービスプロバイダー８０２により生成された情報が、ＯＩＴＦ／ＡＧ８０１、制御処理部８００に伝送される前に、制御処理部８００、ＯＩＴＦ／ＡＧ８０１、ＩＰＴＶサービスプロバイダー８０２間での接続が確立されていると仮定されている。具体的には、ステップ８１０において、接続セットアップ処理を通じて、制御処理部８００、ＯＩＴＦ／ＡＧ８０１、ＩＰＴＶサービスプロバイダー８０２はリンクされる。ステップ８１１において、前記ＯＩＴＦ／ＡＧ８０１は、ＩＰＴＶサービスプロバイダー８０２により伝送されるＥＰＧ情報を取得するために、Ｅ−ＢＣＧ  ｄｉｓｃｏｖｅｒｙをする。前記ＩＰＴＶサービスプロバイダー８０２は、前記Ｅ−ＢＣＧを前記ＯＩＴＦ／ＡＧ８０１に伝達し、このように前記ＯＩＴＦ／ＡＧ８０１は、前記ＩＰＴＶサービスプロバイダー８０２により伝送される前記Ｅ−ＢＣＧを受信する。前記ＢＣＧ（Ｂｒｏａｄｂａｎｄ  Ｃｏｎｔｅｎｔ  Ｇｕｉｄｅ）は、ＥＰＧに対応し、Ｅ−ＢＣＧ（Ｅｎｈａｎｃｅｄ  ＢＣＧ）は、ＣＵＩ情報を含むＢＣＧを示している。
【００４３】
ステップ８１２において、前記ＯＩＴＦ／ＡＧ８０１は、ＥＰＧ情報をＩＰＴＶサービスプロバイダー８０２から受信し、前記ＥＰＧ情報から抽出されたＣＵＩ情報に基づきＤｅｆａｕｌｔＣＵＩページを形成し、該ＤｅｆａｕｌｔＣＵＩページを画面に表示する。前記ＯＩＴＦ／ＡＧ８０１は、ｃｏｎｆｉｇｕｒｅＵＩ、またはＵＩを構成することができる情報だけを、制御処理部８００に伝達し、制御処理部８００は、前記ＵＩ情報に基づいてデフォルトＣＵＩページを構成する。ステップ８１３において、前記ＯＩＴＦ／ＡＧ  ８０１は、デフォルトＣＵＩ情報に基づいてデフォルトＣＵＩページを生成し、該デフォルトＣＵＩページを前記制御処理部８００に伝送する。前記制御処理部８００は、デフォルトＣＵＩページをレンダリングするとともにＥＰＧ画面の形式で表示する。前記ＥＰＧからコンテンツが選択されれば、前記制御処理部８００は、ステップ８１４において、前記選択されたコンテンツ上の情報を前記ＯＩＴＦ／ＡＧ８０１に伝達する。
【００４４】
ＯＩＴＦ／ＡＧ８０１は、ステップ８１５において、当該コンテンツをレンダリングすると同時にＥＰＧメタデータ上でパージング（parsing）を行い、選択されたコンテンツに対応する、特化したＣＵＩ情報を抽出する。ステップ８１６において、前記ＯＩＴＦ／ＡＧ８０１は、前記抽出された情報に基づいて現在進行中のコンテンツに対応する、特化したＣＵＩページを構成する。ページが構成されれば、前記ＯＩＴＦ／ＡＧ８０１は、ステップ８１７で、制御処理部８００にＣＵＩページを伝達し、ユーザは、ＣＵＩページ上で現在ＯＩＴＦ／ＡＧ  ８０１でレンダリングされているコンテンツをコントロール可能となる。
【００４５】
図１０は、本発明のさらに他の実施形態に従うＣＵＩ伝送方法をサポートするデジタル放送システムを構成する制御処理部、ＯＩＴＦ／ＡＧ及びＩＰＴＶサービスプロバイダーの動作を説明するためのシーケンス図である。図９の実施形態において、コンテンツは、タイプによってカテゴリー化され、カテゴリーに特化したＣＵＩは、個々のコンテンツとともに提供される。
【００４６】
図１０の実施形態は、図９におけるステップ８１０から８１３に関しては同じである。ステップ８１３においてデフォルトＣＵＩが受信された場合には、前記制御処理部８００は、ＣＵＩを画面上に表示し、ユーザが前記ＣＵＩによりＥＰＧからのコンテンツを選択可能となる。ユーザによる選択が検出されたならば、ステップ８１４において、前記制御処理部８００は、選択されたコンテンツ上の情報をＯＩＴＦ／ＡＧ  ８０１に送信する。前記選択されたコンテンツ情報が受信されたならば、前記ＯＩＴＦ／ＡＧ  ８０１は、ステップ９００で、選択されたコンテンツ情報のカテゴリーＣＵＩ情報を抽出する。コンテンツは、タイプ（例えば、図１に示したように、ＣｏＤ、Ｌｉｎｅａｒ  ＴＶ（リアルタイム放送）、通信サービスなど）によりカテゴライズされるか、コンテンツプロバイダー別（例えば、ＭＢＣ、ＫＢＳ、ＭＴＶなど）によりカテゴライズされる。ステップ９０１において、ＯＩＴＦ／ＡＧ８０１は、カテゴリーに特化したＣＵＩページを構築し、ステップ９０２で、前記カテゴリーに特化したＣＵＩページを制御処理部８００に伝達する。
【００４７】
図１１は、本発明の実施形態に従う、よってユーザがコンテンツを消費している途中でＥ−ＢＣＧメタデータがアップデートされた場合、デジタル放送システムを構成する制御処理部、ＯＩＴＦ／ＡＧ及びＩＰＴＶサービスプロバイダーの動作を説明するためのシーケンス図である。
【００４８】
図１１において、ステップ１０００で、前記制御処理部８００、ＯＩＴＦ／ＡＧ８０１、ＩＰＴＶサービスプロバイダー８０２間において接続セットアップが確立されていると仮定され、ステップ１００１で、Ｅ−ＧＣＧ情報に基づいて生成されたＣＵＩは、制御処理部８００に配信され、これにより、ユーザは、前記ＣＵＩページを通じて、ＯＩＴＦ／ＡＧ８０１でレンダリングされたコンテンツの継続している再生をコントロールする。前述のような状態で、ステップ１００２において、前記ＯＩＴＦ／ＡＧ８０１は、ＩＰＴＶサービスプロバイダー８０２により転送されたアップデートされたＥ−ＢＣＧを受信する。前記アップデートされたＥ−ＢＣＧが受信されたならば、ＯＩＴＦ／ＡＧ８０１は、ステップ１００３において、前記アップデートされたＥ−ＢＣＧ情報を分析し、Ｅ−ＢＣＧからＣＵＩ情報を抽出する。そして、ステップ１００４で、前記ＯＩＴＦ／ＡＧ８０１は、前記ＣＵＩ情報を使用して更新されたＣＵＩページを構築し、その後、ステップ１００５において、更新されたＣＵＩページを制御処理部８００に伝達する。その結果、ユーザは、更新されたＣＵＩページにより現在継続しているコンテンツのコントロールが可能となる。
【００４９】
前述したように、本発明のＣＵＩ伝送方法は、ユーザ装置に、サービス／コンテンツプロバイダーにより伝送されるコンテンツ特化ＣＵＩ情報に基いてコンテンツに特化したＣＵＩを構築し、対応するコンテンツとともにコンテンツ特化ＣＵＩを表示することが可能となる。ユーザは、前記コンテンツに特化したＣＵＩを通じてコンテンツの再生を制御することができる。本発明のＣＵＩ伝送方法は、個別コンテンツまたはコンテンツタイプに最適化された異なったＣＵＩをユーザに提供することができ、多様な形態のコンテンツの再生制御を容易にすることができる。
【００５０】
以上、添付図面を参照しながら本発明の好適な実施形態について詳細に説明したが、本発明の属する技術分野における通常の知識を有する者は、本発明がその技術的思想や必須な特徴を変更することなく、他の具体的な形態で実施されることができることを理解することができる。
【符号の説明】
【００５１】
１０１      リアルタイム放送コンテンツ
１０２      ＣｏＤコンテンツ
１０３      チャットコンテンツ
１０４      その他コンテンツ
４００      制御処理部
４０１      レンダリング部
４０２      サービス／コンテンツプロバイダー
４１０      ＣＵＩ格納部
４１１      ＥＰＧ生成部
【図１】
0005851844.tif 000003
【図２】
0005851844.tif 000004
【図３】
0005851844.tif 000005
【図４】
0005851844.tif 000006
【図５】
0005851844.tif 000007
【図６】
0005851844.tif 000008
【図７】
0005851844.tif 000009
【図８】
0005851844.tif 000010
【図９】
0005851844.tif 000011
【図１０】
0005851844.tif 000012
【図１１】
0005851844.tif 000013
【図１２】
0005851844.tif 000014